(57)【要約】【課題】複数のユーザが並列して操作可能な画像処理装置において印刷物に対するセキュリティを向上させること。【解決手段】操作部を備え操作部及び可搬型の情報処理端末からの複数の操作命令を並列して受付可能な画像処理装置において、受け付けた操作命令が画像処理装置に備えられた操作部に対する操作によって生成された画像形成出力命令である場合、画像形成出力命令に従って画像形成出力を実行し、操作命令が情報処理端末に対する操作によって生成された画像形成出力命令である場合、画像形成出力命令を画像処理装置の記憶媒体に記憶させ、操作命令が画像形成出力を許可する出力許可命令である場合、記憶媒体に記憶されている画像形成出力命令のうち出力許可命令に対応する画像形成出力命令に従って画像形成出力を実行することを特徴とする。【選択図】図８
2015095885.tif 000002
【特許請求の範囲】
【請求項１】
操作部を備え前記操作部及び可搬型の情報処理端末からの複数の操作命令を並列して受付可能な画像処理装置であって、
受け付けた前記操作命令に応じて処理を実行する命令処理部を含み、
前記命令処理部は、
前記操作命令が前記画像処理装置に備えられた前記操作部に対する操作によって生成された画像形成出力命令である場合、前記画像形成出力命令に従って画像形成出力を実行し、
前記操作命令が前記情報処理端末に対する操作によって生成された画像形成出力命令である場合、前記画像形成出力命令を前記画像処理装置の記憶媒体に記憶させ、
前記操作命令が画像形成出力を許可する出力許可命令である場合、前記記憶媒体に記憶されている前記画像形成出力命令のうち前記出力許可命令に対応する前記画像形成出力命令に従って画像形成出力を実行する
ことを特徴とする画像処理装置。
【請求項２】
前記出力許可命令は、前記出力許可命令に対応する前記画像形成出力命令を生成するための操作が行われた前記情報処理端末が前記画像処理装置から予め定められた範囲内に存在する場合に出力される
ことを特徴とする請求項１に記載の画像処理装置。
【請求項３】
前記出力許可命令は、前記出力許可命令を生成する命令生成部により生成された場合に出力される
ことを特徴とする請求項１又は２に記載の画像処理装置。
【請求項４】
前記出力許可命令は、前記出力許可命令に対応する前記画像形成出力命令を生成するための操作が行われた前記情報処理端末に含まれる前記命令生成部により生成された場合に出力される
ことを特徴とする請求項３に記載の画像処理装置。
【請求項５】
前記出力許可命令は、前記画像処理装置に含まれる前記命令生成部により生成された場合に出力される
ことを特徴とする請求項３又は４に記載の画像処理装置。
【請求項６】
前記出力許可命令は、前記出力許可命令に対応する前記画像形成出力命令を生成するために操作が行われた前記情報処理端末が前記画像処理装置に認証された場合に出力される
ことを特徴とする請求項１〜５のいずれか１項に記載の画像処理装置。
【請求項７】
前記命令処理部は、前記操作命令が前記情報処理端末に対する操作によって生成された画像形成出力命令である場合であって、この情報処理端末が前記画像処理装置から予め定められた範囲内であるときは、前記画像形成出力命令に従って画像形成出力を実行する
ことを特徴とする請求項１〜６のいずれか１項に記載の画像処理装置。
【請求項８】
前記画像処理装置に対して操作を行う利用者が用いる前記画像処理装置又は前記情報処理端末の表示部に表示させるための画面情報を生成する画面情報生成部を含み、
前記画面情報生成部は、前記利用者以外に前記画像処理装置に対して操作を行う他の利用者の利用状況を示す前記画面情報を生成する
ことを特徴とする１〜７のいずれか１項に記載の画像処理装置。
【請求項９】
操作部を備え前記操作部及び可搬型の情報処理端末からの複数の操作命令を並列して受付可能な画像処理装置の命令処理プログラムであって、
受け付けた前記操作命令が前記画像処理装置に備えられた前記操作部に対する操作によって生成された画像形成出力命令である場合、前記画像形成出力命令に従って画像形成出力を実行するステップと、
前記操作命令が前記情報処理端末に対する操作によって生成された画像形成出力命令である場合、前記画像形成出力命令を前記画像処理装置の記憶媒体に記憶させるステップと、
前記操作命令が画像形成出力を許可する出力許可命令である場合、前記記憶媒体に記憶されている前記画像形成出力命令のうち前記出力許可命令に対応する前記画像形成出力命令に従って画像形成出力を実行するステップと
を情報処理装置に実行させることを特徴とする命令処理プログラム。
【請求項１０】
操作部を備え前記操作部及び可搬型の情報処理端末からの複数の操作命令を並列して受付可能な画像処理装置における命令処理方法であって、
受け付けた前記操作命令が前記画像処理装置に備えられた前記操作部に対する操作によって生成された画像形成出力命令である場合、前記画像形成出力命令に従って画像形成出力を実行し、
前記操作命令が前記情報処理端末に対する操作によって生成された画像形成出力命令である場合、前記画像形成出力命令を前記画像処理装置の記憶媒体に記憶させ、
前記操作命令が画像形成出力を許可する出力許可命令である場合、前記記憶媒体に記憶されている前記画像形成出力命令のうち前記出力許可命令に対応する前記画像形成出力命令に従って画像形成出力を実行する
ことを特徴とする命令処理方法。
【発明の詳細な説明】
【技術分野】
【０００１】
本発明は、画像処理装置、命令処理プログラム及び命令処理方法に関し、特に、複数のユーザが並列して操作可能な画像処理装置における画像形成出力命令の処理に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
他方、近年、携帯電話が高機能化され、ＰＣに準じた情報処理機能を有するスマートフォンやタブレット端末のような携帯型の情報処理装置（以降、「携帯端末」とする）の普及が進んでいる。このような携帯端末は、タッチパネル、ＧＰＳ機能、速度センサ、無線通信機能等のインタフェースを備えていることが多く、ソフトウェア・プログラムの機能次第で様々な用途に用いることが可能である。したがって、上述した画像処理装置を遠隔操作するためのディスプレイパネルとして携帯端末を用いることも考えられる。
【０００４】
このような携帯端末を用いることにより、複数のユーザがそれぞれの携帯端末のディスプレイパネルを介して画像処理装置に対して並列して操作を行うことができる。また、同時に別のユーザが画像処理装置に固定されたディスプレイパネルを介して操作を行うことも可能である。
【０００５】
また、ユーザによる操作の利便性の向上を目的として、画像処理装置と通信可能な状態である携帯端末の操作パネルと画像処理装置に固定された操作パネルとを連動させて、画像形成装置の操作に関する画面であって互いに関連する画面を携帯端末及び画像処理装置それぞれの操作パネルに表示させる方法が提案されている（例えば、特許文献１を参照）。
【発明の概要】
【発明が解決しようとする課題】
【０００６】
しかしながら、複数のユーザが画像処理装置に対して並列して操作を行うことにより、あるユーザの携帯端末を介した遠隔操作に従って画像処理装置により印刷出力された印刷物を、画像処理装置に固定された操作パネルを介して操作を行った別のユーザが見たり、誤って自分の印刷物と一緒に持ち去ったりしてしまう場合があり、セキュリティ上好ましくない。
【０００７】
一方、特許文献１に開示された技術では、あるユーザが画像処理装置に対して操作している間に他のユーザが操作を行うことを想定していないので、上述のようなセキュリティ上の問題は低減されるが、複数のユーザが画像処理装置に対して並列して操作を行うことができないという制限が生じる。
【０００８】
本発明は、このような課題を解決するためになされたものであり、複数のユーザが並列して操作可能な画像処理装置において印刷物に対するセキュリティを向上させることを目的とする。
【課題を解決するための手段】
【０００９】
上記課題を解決するために、本発明の一態様は、操作部を備え前記操作部及び可搬型の情報処理端末からの複数の操作命令を並列して受付可能な画像処理装置であって、受け付けた前記操作命令に応じて処理を実行する命令処理部を含み、前記命令処理部は、前記操作命令が前記画像処理装置に備えられた前記操作部に対する操作によって生成された画像形成出力命令である場合、前記画像形成出力命令に従って画像形成出力を実行し、前記操作命令が前記情報処理端末に対する操作によって生成された画像形成出力命令である場合、前記画像形成出力命令を前記画像処理装置の記憶媒体に記憶させ、前記操作命令が画像形成出力を許可する出力許可命令である場合、前記記憶媒体に記憶されている前記画像形成出力命令のうち前記出力許可命令に対応する前記画像形成出力命令に従って画像形成出力を実行することを特徴とする。
【００１０】
また、本発明の他の態様は、操作部を備え前記操作部及び可搬型の情報処理端末からの複数の操作命令を並列して受付可能な画像処理装置の命令処理プログラムであって、受け付けた前記操作命令が前記画像処理装置に備えられた前記操作部に対する操作によって生成された画像形成出力命令である場合、前記画像形成出力命令に従って画像形成出力を実行するステップと、前記操作命令が前記情報処理端末に対する操作によって生成された画像形成出力命令である場合、前記画像形成出力命令を前記画像処理装置の記憶媒体に記憶させるステップと、前記操作命令が画像形成出力を許可する出力許可命令である場合、前記記憶媒体に記憶されている前記画像形成出力命令のうち前記出力許可命令に対応する前記画像形成出力命令に従って画像形成出力を実行するステップとを情報処理装置に実行させることを特徴とする。
【００１１】
また、本発明の更に他の態様は、操作部を備え前記操作部及び可搬型の情報処理端末からの複数の操作命令を並列して受付可能な画像処理装置における命令処理方法であって、受け付けた前記操作命令が前記画像処理装置に備えられた前記操作部に対する操作によって生成された画像形成出力命令である場合、前記画像形成出力命令に従って画像形成出力を実行し、前記操作命令が前記情報処理端末に対する操作によって生成された画像形成出力命令である場合、前記画像形成出力命令を前記画像処理装置の記憶媒体に記憶させ、前記操作命令が画像形成出力を許可する出力許可命令である場合、前記記憶媒体に記憶されている前記画像形成出力命令のうち前記出力許可命令に対応する前記画像形成出力命令に従って画像形成出力を実行することを特徴とする。
【発明の効果】
【００１２】
本発明によれば、複数のユーザが並列して操作可能な画像処理装置において印刷物に対するセキュリティを向上させることができる。
【図面の簡単な説明】
【００１３】
【図１】本発明の実施形態に係るシステムの運用形態を示す図である。
【図２】本発明の実施形態に係る情報処理装置のハードウェア構成を模式的に示すブロック図である。
【図３】本発明の実施形態に係る画像処理装置の機能構成を示すブロック図である。
【図４】本発明の実施形態に係るモバイル端末の機能構成を示すブロック図である。
【図５】本発明の実施形態に係る画像処理装置の主制御部の機能構成を示すブロック図である。
【図６】本発明の実施形態に係る印刷ジョブ記憶部に記憶されている印刷ジョブテーブルを例示する図である。
【図７】本発明の実施形態に係るモバイル端末のクライアントアプリケーションの機能構成を示すブロック図である。
【図８】本実施形態に係る命令処理部による印刷要求に関する命令処理を示すフローチャートである。
【図９】本実施形態に係る画像処理装置のディスプレイパネルに表示される操作画面を示す図である。
【図１０】本実施形態に係るモバイル端末のＬＣＤに表示される操作画面を示す図である。
【図１１】本実施形態に係るシステムにおいて画像処理装置に対して印刷要求が行われる場合の動作を示すシーケンス図である。
【図１２】本発明の実施形態に係る画像処理装置の主制御部の機能構成を示すブロック図である。
【図１３】本発明の実施形態に係るモバイル端末に表示されるログイン情報付き操作画面を示す図である。
【図１４】本発明の実施形態に係るモバイル端末に表示される待機情報付き操作画面を示す図である。
【発明を実施するための形態】
【００１４】
以下、図面を参照して、本発明の実施形態を詳細に説明する。本実施形態においては、スマートフォンやタブレット端末等のモバイル機器及び画像処理装置に固定された操作パネルを介して画像処理装置を操作するシステムを例として説明する。
【００１５】
図１は、本実施形態に係る画像処理システムの運用形態の例を示す図である。図１に示すように、本実施形態に係る画像処理システムは、画像処理装置１及びｎ台のモバイル端末２−１〜２−ｎ（ｎは１以上の整数）が、互いに通信可能に接続されて構成されている画像処理装置の制御システムである。なお、以下、モバイル端末２−１〜２−ｎを、総じてモバイル端末２と記述することがある。
【００１６】
画像処理装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。また、モバイル端末２は、スマートフォン、タブレット端末、ＰＤＡ（Ｐｅｒｓｏｎａｌ  Ｄｉｇｉｔａｌ  Ａｓｓｉｓｔａｎｔｓ）等の可搬型の情報処理端末である。本実施形態に係るモバイル端末２は、画像処理装置１本体とは独立して制御される情報処理端末であり、画像処理装置１を提供するメーカーやサードパーティによって提供されているアプリケーション・プログラムがインストールされることにより、画像処理装置１を操作するための操作パネルとして機能する。
【００１７】
次に、本実施形態に係る画像処理システムに含まれる画像処理装置１及びモバイル端末２の情報処理装置を構成するハードウェアについて説明する。図２は、本実施形態に係る情報処理装置のハードウェア構成を示すブロック図である。図２に示すように、本実施形態に係る情報処理装置は、一般的なサーバやＰＣ（Ｐｅｒｓｏｎａｌ  Ｃｏｍｐｕｔｅｒ）等と同様の構成を含む。
【００１８】
すなわち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。この他、画像処理装置１の場合、画像形成出力やスキャンを実行するエンジンが含まれる。
【００１９】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。なお、ＨＤＤの他、ＳＳＤ（Ｓｏｌｉｄ  Ｓｔａｔｅ  Ｄｒｉｖｅ）等の半導体記憶装置を用いても良い。
【００２０】
Ｉ／Ｆ５０は、バス８０と各種のハードウェアやネットワーク等を接続し制御する。ＬＣＤ６０は、ユーザが情報処理装置の状態を確認するための視覚的ユーザインタフェースである。操作部７０は、キーボード、マウス、各種のハードボタン、タッチパネル等、ユーザが情報処理装置に情報を入力するためのユーザインタフェースである。尚、本実施形態に係るシステムにおいては、モバイル端末２が画像処理装置１の操作パネルとして機能する。従って、画像処理装置１に直接接続されるＬＣＤ６０や操作部７０等のユーザインタフェースは省略することが可能である。
【００２１】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がそれらのプログラムに従って演算を行うことによりソフトウェア制御部が構成される。このようにして構成されたソフトウェア制御部と、ハードウェアとの組み合わせによって、本実施形態に係る画像処理システムを構成する各機器の機能を実現する機能ブロックが構成される。
【００２２】
次に、本実施形態に係る画像処理装置１の機能について説明する。図３は、本実施形態に係る画像処理装置１の機能構成を示すブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１１１、排紙トレイ１１２、ディスプレイパネル１１３、給紙テーブル１１４、プリントエンジン１１５、排紙トレイ１１６、ネットワークＩ／Ｆ１１７及び近距離通信Ｉ／Ｆ１１８を有する。
【００２３】
また、コントローラ１００は、主制御部１３０、エンジン制御部１０１、入出力制御部１０２、画像処理部１０３及び操作表示制御部１０４を有する。図３に示すように、本実施形態に係る画像処理装置１は、スキャナユニット１１１、プリントエンジン１１５を有する複合機として構成されている。なお、図３においては、電気的接続を実線の矢印で示しており、用紙の流れを破線の矢印で示している。
【００２４】
ディスプレイパネル１１３は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。ネットワークＩ／Ｆ１１７は、画像処理装置１がネットワークを介して管理者用端末等の他の機器と通信するためのインタフェースであり、Ｅｔｈｅｒｎｅｔ（登録商標）やＵＳＢインタフェースが用いられる。
【００２５】
近距離通信Ｉ／Ｆ１１８は、画像処理装置１が近距離無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。
【００２６】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、画像処理装置１全体を制御する制御部として機能する。
【００２７】
主制御部１３０は、コントローラ１００に含まれる各部を制御する役割を担い、コントローラ１００の各部に命令を与える。エンジン制御部１０１は、プリントエンジン１１５やスキャナユニット１１１等を制御若しくは駆動する駆動手段としての役割を担う。入出力制御部１０２は、ネットワークＩ／Ｆ１１７、近距離通信Ｉ／Ｆ１１８を介して入力される信号や命令を主制御部１３０に入力する。また、主制御部１３０は、入出力制御部１０２を制御し、ネットワークＩ／Ｆ１１７や近距離通信Ｉ／Ｆ１１８及びネットワークを介して他の装置にアクセスする。
【００２８】
画像処理部１０３は、主制御部１３０の制御に従い、印刷出力すべき画像情報に基づいて描画情報を生成する。この描画情報とは、画像形成部であるプリントエンジン１１５が画像形成動作において形成すべき画像を描画するための情報である。また、画像処理部１０３は、スキャナユニット１１１から入力される撮像データを処理し、画像データを生成する。この画像データとは、スキャナ動作の結果物として画像処理装置１に格納され若しくはネットワークＩ／Ｆ１１７や近距離通信Ｉ／Ｆ１１８を介して他の機器に送信される情報である。操作表示制御部１０４は、ディスプレイパネル１１３に情報表示を行い若しくはディスプレイパネル１１３を介して入力された情報を主制御部１３０に通知する。
【００２９】
なお、プリンタ機能のみを有する画像処理装置の場合、図３に示すＡＤＦ１１０、スキャナユニット１１１及び排紙トレイ１１２が省略されると共に、エンジン制御部１０１の機能から、ＡＤＦ１１０、スキャナユニット１１１及び排紙トレイ１１２を制御するための機能が省略される。
【００３０】
画像処理装置１がプリンタとして動作する場合は、まず、入出力制御部１０２がネットワークＩ／Ｆ１１７を介して印刷ジョブを受信する。入出力制御部１０２は、受信した印刷ジョブを主制御部１３０に転送する。主制御部１３０は、印刷ジョブを受信すると、画像処理部１０３を制御して印刷ジョブに含まれる文書情報若しくは画像情報に基づいて描画情報を生成する。画像処理部１０３によって描画情報が生成されると、エンジン制御部１０１は、生成された描画情報に基づき、給紙テーブル１１４から搬送される用紙に対して画像形成を実行する。プリントエンジン１１５の具体的態様としては、インクジェット方式による画像形成機構や電子写真方式による画像形成機構等を用いることが可能である。プリントエンジン１１５によって画像形成が施された文書は排紙トレイ１１６に排紙される。
【００３１】
画像処理装置１がスキャナとして動作する場合は、ユーザによるディスプレイパネル１１３の操作若しくはネットワークＩ／Ｆ１１７を介して外部の機器から入力されるスキャン実行指示に応じて、操作表示制御部１０４若しくは入出力制御部１０２が主制御部１３０にスキャン実行信号を転送する。主制御部１３０は、受信したスキャン実行信号に基づき、エンジン制御部１０１を制御する。エンジン制御部１０１は、ＡＤＦ１１０を駆動し、ＡＤＦ１１０にセットされた撮像対象原稿をスキャナユニット１１１に搬送する。また、エンジン制御部１０１は、スキャナユニット１１１を駆動し、ＡＤＦ１１０から搬送される原稿を撮像する。また、ＡＤＦ１１０に原稿がセットされておらず、スキャナユニット１１１に直接原稿がセットされた場合、スキャナユニット１１１は、エンジン制御部１０１の制御に従い、セットされた原稿を撮像する。即ち、スキャナユニット１１１が撮像部として動作する。
【００３２】
撮像動作においては、スキャナユニット１１１に含まれるＣＣＤ等の撮像素子が原稿を光学的に走査し、光学情報に基づいた撮像情報が生成される。エンジン制御部１０１は、スキャナユニット１１１が生成した撮像情報を画像処理部１０３に転送する。画像処理部１０３は、主制御部１３０の制御に従い、エンジン制御部１０１から受信した撮像情報に基づき画像情報を生成する。画像処理部１０３が生成した画像情報はＨＤＤ４０等の画像処理装置１に装着された記憶媒体に保存される。画像処理部１０３によって生成された画像情報は、ユーザの指示に応じてそのままＨＤＤ４０等に格納され若しくはネットワークＩ／Ｆ１１７、近距離通信Ｉ／Ｆ１１８を介して、入出力制御部１０２により外部の装置に送信される。
【００３３】
また、画像処理装置１が複写機として動作する場合は、エンジン制御部１０１がスキャナユニット１１１から受信した撮像情報若しくは画像処理部１０３が生成した画像情報に基づき、画像処理部１０３が描画情報を生成する。その描画情報に基づいてプリンタ動作の場合と同様に、エンジン制御部１０１がプリントエンジン１１５を駆動する。
【００３４】
次に、本実施形態に係るモバイル端末２の機能構成について、図４を参照して説明する。図４に示すように、本実施形態に係るモバイル端末２は、図２において説明したＬＣＤ６０、操作部７０に加えて、コントローラ２００、ネットワークＩ／Ｆ２１０及び近距離通信Ｉ／Ｆ２２０を含む。また、コントローラ２００は、入出力制御部２０１、操作制御部２０２、表示制御部２０３及びクライアントアプリケーション２３０を含む。
【００３５】
ネットワークＩ／Ｆ２１０は、モバイル端末２がネットワークを介して他の機器と通信するためのインタフェースであり、Ｅｔｈｅｒｎｅｔ（登録商標）等のインタフェースが用いられる。近距離通信Ｉ／Ｆ２２０は、モバイル端末２が近距離無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。ネットワークＩ／Ｆ２１０、近距離通信Ｉ／Ｆ２２０は、図２に示すＩ／Ｆ５０によって実現される。
【００３６】
コントローラ２００は、ソフトウェアとハードウェアとの組み合わせによって構成される。コントローラ２００は、モバイル端末２全体を制御する制御部である。入出力制御部２０１は、ネットワークＩ／Ｆ２１０を介して入力される情報を取得すると共に、ネットワークＩ／Ｆ２１０を介して他の機器に情報を送信する。また、ネットワークＩ／Ｆ２１０は、近距離通信Ｉ／Ｆ２２０を介して入力される情報を取得すると共に、近距離通信Ｉ／Ｆ２２０を介して他の機器に情報を送信する。
【００３７】
操作制御部２０２は、操作部７０に対するユーザによる操作内容の信号を取得し、クライアントアプリケーション２３０等のモバイル端末２において動作するモジュールに入力する。表示制御部２０３は、クライアントアプリケーション２３０のＧＵＩ（Ｇｒａｐｈｉｃａｌ  Ｕｓｅｒ  Ｉｎｔｅｒｆａｃｅ）等、モバイル端末２の状態をＬＣＤ６０に表示させる。
【００３８】
クライアントアプリケーション２３０は、本実施形態に係る画像処理システムの機能をモバイル端末２において利用するために、モバイル端末２にインストールされて動作するソフトウェア・プログラムによって構成される。クライアントアプリケーション２３０は、モバイル端末２の操作部７０を介して画像処理装置１に対する操作命令を受け付ける機能及び受け付けた操作命令を画像処理装置１に対して送信し、その操作命令に応じた画面をＬＣＤ６０に表示させる機能等を実現する。
【００３９】
このようなシステムの構成において、本実施形態に係る画像処理装置１は、画像処理装置１に固定された固定操作部であるディスプレイパネル１１３及びモバイル端末２の操作部７０を介して受け付けた操作命令が印刷要求である場合に、印刷要求を行った操作部の種類に応じて処理を行うことを特徴とする。本実施形態に係る構成として、まず、本実施形態に係る主制御部１３０のうち操作部の種類に応じた処理に関する機能構成を説明する。
【００４０】
図５は、本実施形態に係る主制御部１３０のうち操作部の種類に応じた処理に関する機能構成を例示するブロック図である。図５に示すように、本実施形態に係る主制御部１３０は、認証情報ＤＢ１３１、ログイン処理部１３２、命令処理部１３３、印刷ジョブ記憶部１３４及び画面情報生成部１３５を含む。
【００４１】
認証情報ＤＢ１３１は、各ユーザのログイン認証に用いられる認証情報を格納する。認証情報とは、例えば、各ユーザを一意に識別するための識別情報を示すユーザＩＤとそのユーザを認証するパスワードとが対応付けられたものである。ログイン処理部１３２は、入力されたユーザ情報及び認証情報ＤＢ１３１に格納されている認証情報に基づいて、ユーザのログイン認証を行う。ユーザ情報は、例えば、ユーザＩＤ、パスワード及びこのユーザ情報の出力元の端末を識別するための端末ＩＤを含む。
【００４２】
具体的には、ログイン処理部１３２は、入力されたユーザ情報に含まれるユーザＩＤに対応するパスワードを認証情報ＤＢ１３１から取得し、取得したパスワードとユーザ情報に含まれるパスワードとが一致した場合は、そのユーザのログインを認証する。また、ログイン処理部１３２は、ログイン認証されたユーザのユーザ情報を画面情報生成部１３５に対して出力する。
【００４３】
命令処理部１３３は、入力された命令情報を受け付けると、受け付けた命令情報に従って、画像処理装置１に対する処理を、エンジン制御部１０１を介して実行する。命令情報は、例えば、印刷ジョブに基づく印刷要求、コピー開始要求、スキャン開始要求等の操作命令、操作命令を要求するユーザＩＤ、操作命令の要求元の端末ＩＤを含む。また、命令処理部１３３は、上記処理を実行するとともに、画面情報生成部１３５に対して、処理の状況（印刷中、印刷完了等）を示す処理情報及び命令情報に含まれる端末ＩＤを出力する。
【００４４】
また、命令処理部１３３は、入力された命令情報に含まれる操作命令が印刷ジョブに基づく印刷要求である場合に、操作命令を出力した端末の種類に応じて、印刷ジョブに基づく用紙等への印刷出力処理や印刷ジョブの印刷ジョブ記憶部１３４への記憶処理を実行する。また、命令処理部１３３は、入力された命令情報に含まれる操作命令が用紙等の記録媒体への印刷出力を許可する出力許可要求（出力許可命令）である場合、印刷ジョブ記憶部１３４に記憶された印刷ジョブに基づく用紙等への印刷出力処理を実行する。なお、命令処理部１３３の詳細な処理は、図８を参照して後述する。
【００４５】
印刷ジョブ記憶部１３４は、命令処理部１３３から入力された印刷ジョブを記憶する記憶媒体である。印刷ジョブは、例えば、印刷ジョブを識別するジョブＩＤ及び印刷処理対象となるファイル名を含む。図６は、印刷ジョブ記憶部１３４に記憶される印刷ジョブテーブルを例示する図である。図６に示すように、印刷ジョブテーブルには、印刷ジョブに含まれるジョブＩＤ、ユーザＩＤ、ファイル名が印刷ジョブごとに記憶されている。印刷ジョブテーブルに記憶されているユーザＩＤは、命令処理部１３３に入力された命令情報から取得可能であるが、印刷ジョブに含まれていてもよい。
【００４６】
画面情報生成部１３５は、画像処理装置１に対する操作を行うための操作画面を端末に表示させるための操作画面情報を生成して、ログイン処理部１３２から入力されたユーザ情報に含まれる端末ＩＤにより識別される端末へ送信する。例えば、画面情報生成部１３５は、識別された端末がモバイル端末２−１である場合、生成した操作画面情報を、入出力制御部１０２を介してモバイル端末２−１に対して送信する。
【００４７】
また、例えば、画面情報生成部１３５は、識別された端末が画像処理装置１そのものである場合、生成した操作画面情報に基づく操作画面を、操作表示制御部１０４を介して送信して画像処理装置１に固定された操作パネルであるディスプレイパネル１１３に表示させる。
【００４８】
また、画面情報生成部１３５は、命令処理部１３３から入力された処理情報が示す処理の状況に応じた画面情報を生成し、命令処理部１３３から入力された端末ＩＤにより識別される端末に対して送信する。例えば、画面情報生成部１３５は、命令処理部１３３から入力された処理情報が印刷完了を示し、端末ＩＤにより識別される端末がモバイル端末２−１である場合、印刷完了を示す画面情報を生成して、入出力制御部１０２を介してモバイル端末２−１に対して送信する。また、例えば、画面情報生成部１３５は、命令処理部１３３から入力された処理情報が印刷中を示し、端末ＩＤより識別される端末が画像処理装置１そのものである場合、印刷中を示す画面情報を生成して、操作表示制御部１０４を介してディスプレイパネル１１３に表示させる。
【００４９】
次に、本実施形態に係るクライアントアプリケーション２３０の機能構成を説明する。図７は、本実施形態に係るクライアントアプリケーション２３０の機能構成を例示するブロック図である。図７に示すように、本実施形態に係るクライアントアプリケーション２３０は、ログイン情報受付部２３１、ユーザ情報送信部２３２、命令受付部２３３及び表示情報生成部２３４を含む。
【００５０】
ログイン情報受付部２３１は、モバイル端末２において画像処理装置１を操作するための専用のアプリケーションを起動させる等によりモバイル端末２のＬＣＤ６０に表示されたログイン画面を介して入力されたユーザＩＤ及びパスワードを受け付けて、ユーザ情報送信部２３２に対してログイン情報として出力する。また、ログイン情報受付部２３１は、受け付けたユーザＩＤを命令受付部２３３に対して出力する。
【００５１】
ユーザ情報送信部２３２は、ログイン情報受付部２３１から入力されたログイン情報及びこのモバイル端末２の端末ＩＤを含むユーザ情報を、入出力制御部２０１の制御によりネットワークＩ／Ｆ２１０を介してログイン処理部１３２に対して送信する。なお、ユーザ情報送信部２３２が送信する端末ＩＤは、例えば、モバイル端末２のＲＯＭ３０やＨＤＤ４０等の記憶媒体に予め記憶されているものとする。
【００５２】
命令受付部２３３は、ＬＣＤ６０に表示された操作画面を介してユーザからの各種操作命令を受け付けて、受け付けた操作命令、ログイン情報受付部２３１から入力されたユーザＩＤ及び端末ＩＤを含む命令情報を、命令処理部１３３に対して出力する。
【００５３】
表示情報生成部２３４は、画面情報生成部１３５から入力された操作画面情報に基づいて、操作画面の表示情報を生成して、表示制御部２０３に対して出力する。また、表示情報生成部２３４は、画面情報生成部１３５から入力された画面情報に基づいて、命令受付部２３３が受け付けたユーザの操作命令に応じた操作が実行される際の実行画面の表示情報を生成して、表示制御部２０３に対して出力する。
【００５４】
なお、操作命令は、モバイル端末２のＬＣＤ６０に表示された操作画面を介して受け付けられるだけでなく、画像処理装置１のディスプレイパネル１１３に表示された操作画面を介して受け付けられる。この場合、ディスプレイパネル１１３を介して受け付けられた操作命令、画像処理装置１のディスプレイパネル１１３に表示されたログイン画面を介してログインしたユーザＩＤ及び画像処理装置１の端末ＩＤを含む命令情報が、操作表示制御部１０４を介して主制御部１３０に対して出力される。
【００５５】
次に、図５において説明した命令処理部１３３による命令処理のうち、本実施形態に係る印刷要求に関する命令処理の詳細を説明する。図８は、本実施形態に係る命令処理部１３３による印刷要求に関する命令処理を例示するフローチャートである。図８に示すように、命令処理部１３３は、操作命令を受け付けた端末から送信された命令情報を取得する（Ｓ８００）。
【００５６】
命令情報を取得した命令処理部１３３は、取得した命令情報に含まれる操作命令が印刷ジョブに基づく印刷要求である場合（Ｓ８０１／ＹＥＳ）、その印刷要求がモバイル端末２に表示された操作画面を介して要求されたか否かを判断する（Ｓ８０２）。すなわち、命令処理部１３３は、取得した命令情報に含まれる端末ＩＤにより識別される端末の種類がモバイル端末２であるか否かを判断する。
【００５７】
印刷要求がモバイル端末２に表示された操作画面を介して要求されている場合（Ｓ８０２／ＹＥＳ）、命令処理部１３３は、印刷要求された印刷ジョブを印刷ジョブ記憶部１３４に記憶させる（Ｓ８０３）。すなわち、印刷要求された印刷ジョブは画像処理装置１内にスプールされ、現段階ではこの印刷ジョブに基づいて用紙等に印刷出力はされない。一方、印刷要求が画像処理装置１のディスプレイパネル１１３に表示された操作画面を介して要求されている場合（Ｓ８０２／ＮＯ）、命令処理部１３３は、印刷要求された印刷ジョブに基づく用紙等への印刷出力を実行する（Ｓ８０６）。
【００５８】
なお、印刷ジョブは、例えば、印刷要求を行ったモバイル端末２において生成された画像形成出力命令として命令情報に含まれて（あるいは命令情報とともに）、画像処理装置１に対して送信される。この場合、印刷ジョブを生成したモバイル端末２の端末ＩＤが生成された印刷ジョブに含まれていてもよい。その他、印刷ジョブは、命令情報に含まれる印刷要求に応じて、画像処理装置１内で画像形成出力命令として生成されてもよい。この場合、生成される印刷ジョブに、命令情報に含まれるモバイル端末２の端末ＩＤが含まれるようにしてもよい。
【００５９】
一方、取得した命令情報に含まれる操作命令が出力許可要求である場合（Ｓ８０４／ＹＥＳ）、命令処理部１３３は、印刷ジョブ記憶部１３４に記憶されている印刷ジョブから、出力許可要求において指定された印刷ジョブを取得する（Ｓ８０５）。印刷ジョブを取得した命令処理部１３３は、取得した印刷ジョブに基づく用紙等への印刷出力を実行する（Ｓ８０６）。
【００６０】
一方、取得した命令情報に含まれる操作命令が印刷要求でも出力許可要求でもない場合（Ｓ８０１／ＮＯ、Ｓ８０４／ＮＯ）、命令処理部１３３は、操作命令に従って処理を実行する（Ｓ８０７）。操作命令に従った処理とは、コピーやスキャナ処理の他、スプールされた印刷ジョブの一覧を要求するスプールジョブ一覧要求を行ったユーザが印刷要求した印刷ジョブを取得して画面情報生成部１３５に対して出力する処理等である。
【００６１】
なお、出力許可要求は印刷ジョブ記憶部１３４に記憶されている印刷ジョブ、すなわち用紙等への印刷出力がまだ完了していない印刷ジョブに対して印刷出力を許可する要求であり、画像処理装置１及びモバイル端末２にそれぞれに表示されるいずれの操作画面を介して要求してもよい。以下、具体的な操作画面を示して説明する。
【００６２】
図９は、画像処理装置１のディスプレイパネル１１３に表示される操作画面を例示する図である。図９（ａ）は、モバイル端末２の操作画面から印刷要求を行ったユーザが画像処理装置１の操作画面を介してログインすることによりディスプレイパネル１１３に表示される操作画面を例示する図である。ここで、図９（ａ）に示した「スプールジョブ一覧表示」ボタンが押下されると、図９（ｂ）に示すように、ログインしたユーザにより印刷要求が行われてスプールされた（印刷ジョブ記憶部１３４に記憶された）印刷ジョブの一覧を示すスプールジョブ一覧画面が表示される。
【００６３】
図９（ｂ）に示したスプールジョブ一覧画面に表示されている印刷ジョブから出力を許可する印刷ジョブが選択され、「出力要求」ボタンが押下されると、出力許可要求を含む命令情報が命令処理部１３３に対して送信される。例えば、図９（ｂ）に示す場合においては、チェックボックスが黒色に塗られたファイル名“・・・￥ｔｅｘｔ￥ｔｅｘｔ３”に対する印刷ジョブに基づく印刷出力が要求されることになる。すなわち、「出力要求」ボタンは、出力許可命令を生成する命令生成部である。
【００６４】
図１０は、モバイル端末２のＬＣＤ６０に表示される操作画面を例示する図である。図１０（ａ）は、印刷要求を行ったモバイル端末２に表示される操作画面を例示する図である。ここで、図１０（ａ）に示した「スプールジョブ一覧表示」ボタンが押下されると、図１０（ｂ）に示すように、このモバイル端末２にログインしたユーザにより印刷要求が行われてスプールされた印刷ジョブの一覧を示すスプールジョブ一覧画面が表示される。
【００６５】
図９（ｂ）において説明した場合と同様に、図１０（ｂ）に示したスプールジョブ一覧画面に表示されている印刷ジョブから出力を許可する印刷ジョブが選択され、「出力要求」ボタンが押下されると、出力許可要求を含む命令情報が命令受付部２３３から命令処理部１３３に対して送信される。
【００６６】
次に、本実施形態に係るシステムにおいて画像処理装置１のディスプレイパネル１１３やモバイル端末２のＬＣＤ６０に表示される操作画面を介して画像処理装置１に対して印刷要求が行われる場合の動作を説明する。図１１は、本実施形態に係るシステムにおける上記動作を例示するシーケンス図である。
【００６７】
なお、本説明においては、システムにおいて１台のモバイル端末２が利用可能である場合を例として説明しているが、モバイル端末２は２台以上含まれていてもよい。また、図１１においては、説明の明確化のため、印刷要求に対する処理を行う構成としての画像処理装置１（主制御部１３０）と、画像処理装置１に固定されたディスプレイパネル１１３を介した操作制御やディスプレイパネル１１３に対する表示制御を行う構成としての画像処理装置１（操作表示制御部１０４）とを区別して示している。
【００６８】
図１１に示すように、モバイル端末２は、モバイル端末２を使用するユーザのユーザ情報を、画像処理装置１に対して送信する（Ｓ１１００）。モバイル端末２からユーザ情報を受信した画像処理装置１は、ユーザのログイン認証を行う（Ｓ１１０１）。ユーザのログイン認証に成功すると、画像処理装置１は、操作画面情報を生成して、モバイル端末２に対して出力する（Ｓ１１０２）。
【００６９】
画像処理装置１により生成された操作画面情報を取得したモバイル端末２は、取得した操作画面情報に基づいて、操作画面の表示情報を生成し、モバイル端末２のＬＣＤ６０に図１０（ａ）に示したような操作画面を表示する（Ｓ１１０３）。ユーザが表示された操作画面を介して印刷要求を行うと、モバイル端末２は、印刷要求を画像処理装置１に対して送信する（Ｓ１１０４）。例えば、図１０（ａ）に示した操作画面において、ユーザが印刷出力対象のファイルを選択し、「スタート」ボタンを押下すると、モバイル端末２は、図１０（ａ）に示した印刷設定を含む印刷ジョブに基づく印刷要求を、画像処理装置１に対して送信する。
【００７０】
印刷要求を受信した画像処理装置１は、受信した印刷要求がモバイル端末２から送信されているので、現段階では受信した印刷要求に対する印刷ジョブに基づく印刷出力を行わず、この印刷ジョブをスプールする（Ｓ１１０５）。
【００７１】
一方、操作表示制御部１０４は、画像処理装置１のディスプレイパネル１１３を介して操作するユーザのユーザ情報を、画像処理装置１に対して送信する（Ｓ１１０６）。操作表示制御部１０４からユーザ情報を受信した画像処理装置１は、ユーザのログイン認証を行う（Ｓ１１０７）。ユーザのログイン認証に成功すると、画像処理装置１は、操作画面情報を生成して、操作表示制御部１０４に対して出力する（Ｓ１１０８）。
【００７２】
画像処理装置１により生成された操作画面情報を取得した操作表示制御部１０４は、取得した操作画面情報に基づいて、操作画面の表示情報を生成し、画像処理装置１のディスプレイパネル１１３に図９（ａ）に示したような操作画面を表示する（Ｓ１１０９）。ユーザが表示された操作画面を介して印刷要求を行うと、操作表示制御部１０４は、印刷要求を画像処理装置１に対して出力する（Ｓ１１１０）。例えば、図９（ａ）に示した操作画面において、ユーザが印刷出力対象のファイルを選択し、「スタート」ボタンを押下すると、操作表示制御部１０４は、図９（ａ）に示した印刷設定を含む印刷ジョブに基づく印刷要求を、画像処理装置１に対して出力する。
【００７３】
印刷要求を受け付けた画像処理装置１は、受け付けた印刷要求が操作表示制御部１０４すなわち画像処理装置１そのものから出力されているので、受け付けた印刷要求に対する印刷ジョブに基づく印刷出力を実行する（Ｓ１１１１）。
【００７４】
一方、図１０（ａ）に示した操作画面において「スプールジョブ一覧表示」ボタンが押下されると、モバイル端末２は、スプールジョブの一覧要求を、画像処理装置１に対して送信する（Ｓ１１１２）。スプールジョブの一覧要求を受信した画像処理装置１は、スプールされた（すなわち印刷ジョブ記憶部１３４に記憶された）印刷ジョブから、スプールジョブの一覧要求を行ったユーザのユーザＩＤを含む印刷ジョブを取得してスプールジョブ一覧画面情報を生成して、モバイル端末２に対して出力する（Ｓ１１１３）。
【００７５】
例えば、印刷ジョブ記憶部１３４に図６に示した印刷ジョブが記憶されている場合であって、スプールジョブの一覧要求を行ったユーザのユーザＩＤが“ｕｓｅｒＡ”であるときは、画像処理装置１は、ジョブＩＤ“Ｐ００１”及び“Ｐ００３”の印刷ジョブをスプールジョブとして取得する。そして、画像処理装置１は、取得したこれらのスプールジョブ一覧画面情報を生成してモバイル端末２に対して出力する。
【００７６】
画像処理装置１により生成されたスプールジョブ一覧画面情報を取得したモバイル端末２は、取得した画面情報に基づいて、スプールジョブ一覧画面の表示情報を生成し、モバイル端末２のＬＣＤ６０に図１０（ｂ）に示したような操作画面を表示する（Ｓ１１１４）。図１０（ｂ）に示した操作画面を介してスプールジョブ一覧画面から印刷出力を許可する印刷ジョブが選択されて「出力要求」ボタンが押下されると、モバイル端末２は、指定された印刷ジョブに基づく出力許可要求を、画像処理装置１に対して送信する（Ｓ１１１５）。
【００７７】
モバイル端末２から出力許可要求を受信した画像処理装置１は、受信した出力許可要求において指定された印刷ジョブに基づく印刷出力を実行する（Ｓ１１１６）。なお、図１１に示した各動作が行われる時間関係はこれに限定されるものではなく、例えば、モバイル端末２による動作よりも操作表示制御部１０４による動作が先に行われていてもよいし、操作表示制御部１０４による動作よりもモバイル端末２においてスプールジョブ一覧要求が先に行われていてもよい。
【００７８】
以上説明したように、本実施形態においては、画像処理装置１は、画像処理装置１に対する操作を行う操作パネルを有する端末から印刷要求が行われた場合に、その印刷要求が画像処理装置１に対する操作を遠隔で行うモバイル端末２からであるときは、その印刷要求に対する印刷ジョブに基づく用紙等への印刷出力を実行せず、一旦画像処理装置１内にスプールし、その印刷要求が画像処理装置１に固定された操作パネルからであるときは、その印刷要求に対する印刷ジョブに基づく用紙等への印刷出力を実行する。また、画像処理装置１は、モバイル端末２やディスプレイパネル１１３に表示された操作画面を介して送信された出力許可要求を受けると、スプールされている印刷ジョブのうち出力許可要求において指定された印刷ジョブに基づく用紙等への印刷出力を実行する。
【００７９】
これにより、あるユーザＡが画像処理装置１から離れた場所から要求した印刷ジョブは用紙等への印刷出力が実行されることなく画像処理装置１内にスプールされるので、画像処理装置１に固定された操作パネルを用いている別のユーザＢにユーザＡが印刷要求した印刷物を見られてしまうことを防止することが可能になる。そして、ユーザＡが画像処理装置１の近くにいてすぐに出力された印刷物を取ることができる等の状態で出力許可要求の操作を行うことで、スプールされていた印刷ジョブに基づく用紙等への印刷出力が実行されるので、印刷物のセキュリティは確保されやすくなる。一方で、画像処理装置１に固定された操作パネルから要求した印刷ジョブは、すぐに用紙等への印刷出力が実行されても、別のユーザにより見られる可能性が低いので、印刷物のセキュリティは確保される。したがって、本発明によれば、複数のユーザが並列して操作可能な画像処理装置において印刷物に対するセキュリティを向上させることが可能になる。
【００８０】
なお、上記実施形態においては、ディスプレイパネル１１３やモバイル端末２に表示されている操作画面を介して出力許可要求を行った場合に、画像処理装置１内にスプールされた印刷ジョブに基づく用紙等への印刷出力が実行される場合を例として説明した。しかしながら、これは一例であり、画像処理装置１がモバイル端末２から送信される位置情報を受信する等して、画像処理装置１から予め定められた範囲内にモバイル端末２が存在すると判定した場合に、モバイル端末２に出力処理を行うか否かを確認する通知をし、その通知を受けたモバイル端末２が出力許可要求を送信した場合にスプールされた印刷ジョブに基づく印刷出力を実行してもよい。また、この場合に、画像処理装置１は、確認する通知をすることなく、予め定められた範囲内に存在するモバイル端末２から印刷要求されてスプールされている印刷ジョブに基づいて印刷出力を実行するようにしてもよい。
【００８１】
その他、印刷要求を行ったモバイル端末２を、例えば画像処理装置１のＦｅｌｉｃａリーダに近づけることにより、近距離通信Ｉ／Ｆ２２０として用いられているＦｅｌｉｃａインタフェースを介してユーザ情報が送信されると、画像処理装置１は、そのユーザ情報に含まれるユーザＩＤに対応するスプールジョブに基づいて印刷出力を実行するようにしてもよい。また、この場合に、送信されたユーザ情報に基づいて画像処理装置１においてログイン処理が行われ、ディスプレイパネル１１３に表示された操作画面に、ログインしたユーザによりスプールされたジョブの一覧が表示され、この画面から出力要求が行われてもよい。
【００８２】
また、上記実施形態においては、ユーザがスプールジョブ一覧画面から出力を許可する印刷ジョブを選択して、選択された印刷ジョブに基づく出力許可要求が行われる場合を例として説明した。しかしながら、これは一例であり、出力許可要求が行われると、出力許可要求を行ったユーザにより印刷要求されてスプールされたすべての印刷ジョブに基づく印刷出力が実行されてもよい。
【００８３】
また、上記実施形態においては、モバイル端末２から印刷要求されたすべての印刷ジョブが、出力許可要求されるまで一旦画像処理装置１内にスプールされる場合を例として説明した。その他、モバイル端末２から印刷要求を行う場合であっても、他のユーザが見てもセキュリティ上問題のない文書等を指定して印刷要求を行ったときは、指定された文書に対する印刷ジョブについてはスプールされることなく印刷出力が実行されるようにしてもよい。また、印刷要求を行ったモバイル端末２と画像処理装置１との距離が予め定められた範囲内である場合は、モバイル端末２から印刷要求を行ったユーザがすぐに印刷物を回収することができるので、その印刷要求に対する印刷ジョブについてはスプールされることなく印刷出力が実行されるようにしてもよい。
【００８４】
次に、複数のユーザが画像処理装置１にログインしている場合に、他のユーザの状況等を把握できるようにする実施形態を説明する。図１２は、このような実施形態を実現する主制御部１３０の機能構成を例示するブロック図である。図１２に示すように、主制御部１３０は、図５に示した構成に加えて、ログインユーザＤＢ１３６、ログオフ処理部１３７及び命令管理ＤＢ１３８を含む。
【００８５】
ログインユーザＤＢ１３６は、ログイン処理部１３２によりログイン認証されたログイン中のユーザのユーザ情報を格納する。ログオフ処理部１３７は、ユーザから入力されたログオフ命令に従って、ログインユーザＤＢ１３６から、ログオフ命令を入力したユーザのユーザ情報を削除する。
【００８６】
命令管理ＤＢ１３８は、命令処理部１３３から入力された命令情報を、その命令を識別する識別情報及びその命令を入力したユーザＩＤと対応付けて格納する。命令処理部１３３は、命令管理ＤＢ１３８に格納された命令の実行が完了すると、命令管理ＤＢ１３８から対応する命令情報を削除する。
【００８７】
画面情報生成部１３５は、上述した操作画面情報に、他のユーザの状況等を把握するための画面情報を付加する。具体的には、まず、画面情報生成部１３５は、ログインユーザＤＢ１３６から、画面情報を表示させるモバイル端末２を使用するユーザ以外にログインしている他のユーザのユーザ情報を取得する。そして、画面情報生成部１３５は、取得したユーザ情報に基づいて、操作画面情報にログイン中の他のユーザを表示する画面情報を付加したログイン情報付き操作画面情報を生成する。
【００８８】
図１３は、ログイン認証されたユーザＡが使用するモバイル端末２に表示される操作画面を例示する図である。図１３に示すように、例えば、コピー機能を実行させるための操作画面に加えて、ユーザＡ以外にユーザＢ及びユーザＣが画像処理装置１にログイン中であることが表示される。一方、すでにログインしていたユーザＢ及びユーザＣそれぞれが使用するモバイル端末２の画面にもユーザＡが新たにログイン中であることが表示される。また、ディスプレイパネル１１３に表示されたログイン画面を介してログインしているユーザを、モバイル端末２からログインしている他のユーザと区別できる態様で表示されるようにしてもよい。
【００８９】
また、画面情報生成部１３５は、命令管理ＤＢ１３８から、処理待ちしている命令情報を取得して、操作画面情報に命令（ジョブ）の処理待ち状況を表示する画面情報を付加した待機情報付き操作画面情報を生成する。図１４は、ログイン認証されたユーザＢが使用するモバイル端末２に表示される実行画面を例示する図である。図１４に示すように、印刷要求に応じて処理が実行される際の操作画面において、他のユーザＡがジョブを実行中のためユーザＢの印刷ジョブは待機中であることが表示される。また、図１４に示すように、待機中のジョブの数（例えば、５個）が表示される。
【００９０】
なお、ここでは、モバイル端末２の表示部であるＬＣＤ６０に他のユーザのログイン状況等を表示させる場合を例として説明したが、画像処理装置１のディスプレイパネル１１３を介して操作を行っているユーザがいる場合、画像処理装置１の表示部であるディスプレイパネル１１３にも他のユーザのログイン状況等を表示させてもよい。
【００９１】
このような構成により、画像処理装置１にログインしているユーザは、操作画面上で、他のユーザのログイン状況やジョブ状況等の利用者の利用状況を把握することができるので、ログインしているユーザや待機待ちのジョブが多い場合は、ログインしているユーザや待機待ちジョブが少なくなるまで出力許可要求を控えることにより、さらに印刷物のセキュリティを向上させることができる。
【００９２】
なお、上記実施形態においては、画面情報生成部１３５は、端末に表示させる操作画面情報の内容をログイン認証されたユーザに関わらず共通にする場合を想定しているが、ログイン認証されたユーザごとにそのユーザに応じた操作画面情報を生成してもよい。ユーザに応じた操作画面情報を生成する場合、例えば、端末からログイン処理部１３２に対して出力されるユーザ情報には、使用履歴（例えば、ユーザが使用した機能や各種設定情報の履歴）が含まれ、画面情報生成部１３５は、その使用履歴に基づいて操作画面情報を生成する。
【００９３】
具体的には、例えば、画面情報生成部１３５は、ユーザ情報に含まれる使用履歴から、ユーザが最後に使用した機能（例えば、コピー機能）やその機能を使用する際の設定情報（例えば、用紙サイズ、倍率）を表示する画像処理装置１の操作画面情報を生成する。
【００９４】
この場合、命令受付部２３３は、受け付けた命令情報から、使用した画像処理装置１の機能やその機能を使用する際の設定情報を使用履歴として取得して、図示しないユーザ履歴ＤＢに記憶させる。そして、例えば、ユーザ情報送信部２３２は、ユーザ履歴ＤＢに記憶されているユーザ履歴を、ユーザ情報とともにログイン処理部１３２に対して送信する。
【００９５】
また、上記実施形態において、画像処理装置１は、モバイル端末２の操作画面を介して送信された操作命令の実行履歴を記録しておき、モバイル端末２との接続が通信不良等により切断された場合は、次の接続時にモバイル端末２に操作命令の実行履歴を表示させる。これにより、ユーザは、モバイル端末２と画像処理装置との接続が切断されたことにより正常に送信されず実行されなかった操作命令の有無等を確認することができる。
【００９６】
また、上記実施形態において、画像処理装置１にログインしているユーザが１人である場合は、画像処理装置１は、モバイル端末２に表示される操作画面とディスプレイパネル１１３に表示される操作画面とを連動可能にしてもよい。これにより、操作画面の使い勝手が向上する。
【００９７】
また、上記実施形態においては、モバイル端末２において画像処理装置１に対してログイン処理を行った後に操作画面が表示される場合を例として説明した。しかしながら、１台のモバイル端末２を複数のユーザが用いることがなく、端末ＩＤのみでユーザを識別することができる場合は、画像処理装置１に対するログイン処理は必須ではない。
【００９８】
また、上記実施形態においては、画像処理装置１に対する操作パネルとして、画像処理装置１に固定されたディスプレイパネル１１３及びモバイル端末２のＬＣＤ６０が用いられる場合を例として説明した。その他、画像処理装置１から分離可能に装着されている携帯可能端末が操作パネルとして用いられてもよい。携帯可能端末が画像処理装置１に装着されているとは、例えば、ＵＳＢ等により有線接続されていることを示し、携帯可能端末が画像処理装置１から分離されているとは、例えば、近距離無線通信や無線ＬＡＮ通信等により無線接続されていることを示す。
【００９９】
このような携帯可能端末に表示される操作画面を介して印刷要求を行った場合であって、携帯可能端末が画像処理装置１に装着されているときは、命令処理部１３３は、ディスプレイパネル１１３から印刷要求がされた場合と同様に、印刷要求された印刷ジョブに基づく用紙等への印刷出力を実行する。一方、携帯可能端末が画像処理装置１から分離されているときは、命令処理部１３３は、モバイル端末２から印刷要求がされた場合と同様に、印刷要求された印刷ジョブを画像処理装置１内にスプールする。
【０１００】
また、モバイル端末２の場合と同様に、携帯可能端末が画像処理装置１から分離されている場合であっても、携帯可能端末と画像処理装置１から予め定められた範囲内であるときは、携帯可能端末からの印刷要求に対する印刷ジョブについてはスプールされることなく印刷出力が実行されるようにされてもよい。
【符号の説明】
【０１０１】
１  画像処理装置
２  モバイル端末
１０  ＣＰＵ
２０  ＲＡＭ
３０  ＲＯＭ
４０  ＨＤＤ
５０  Ｉ／Ｆ
６０  ＬＣＤ
７０  操作部
１００  コントローラ
１０１  エンジン制御部
１０２  入出力制御部
１０３  画像処理部
１０４  操作表示制御部
１１０  ＡＤＦ
１１１  スキャナユニット
１１２  排紙トレイ
１１３  ディスプレイパネル
１１４  給紙テーブル
１１５  プリントエンジン
１１６  排紙トレイ
１１７  ネットワークＩ／Ｆ
１１８  近距離通信Ｉ／Ｆ
１３０  主制御部
１３１  認証情報ＤＢ
１３２  ログイン処理部
１３３  命令処理部
１３４  印刷ジョブ記憶部
１３５  画面情報生成部
１３６  ログインユーザＤＢ
１３７  ログオフ処理部
１３８  命令管理ＤＢ
２００  コントローラ
２０１  入出力制御部
２０２  操作制御部
２０３  表示制御部
２１０  ネットワークＩ／Ｆ
２２０  近距離通信Ｉ／Ｆ
２３０  クライアントアプリケーション
２３１  ログイン情報受付部
２３２  ユーザ情報送信部
２３３  命令受付部
２３４  表示情報生成部
【先行技術文献】
【特許文献】
【０１０２】
【特許文献１】特開２０１３−１１０４７０号公報
【図１】
2015095885.tif 000003
【図２】
2015095885.tif 000004
【図３】
2015095885.tif 000005
【図４】
2015095885.tif 000006
【図５】
2015095885.tif 000007
【図６】
2015095885.tif 000008
【図７】
2015095885.tif 000009
【図８】
2015095885.tif 000010
【図９】
2015095885.tif 000011
【図１０】
2015095885.tif 000012
【図１１】
2015095885.tif 000013
【図１２】
2015095885.tif 000014
【図１３】
2015095885.tif 000015
【図１４】
2015095885.tif 000016